(57)【要約】【課題】道路端にゴミ集積ボックスを設置する場合に、ゴミ収集日の収集が終了した後はこのゴミ集積ボックスが道路に大きく突出することがなく、歩行者や自動車の通行の邪魔になることを防止でき、設置や移動も容易で使い勝手がよく、また、設置個所に大きな穴を形成したり付近の壁に負荷をかけることなく、設置個所に省スペースでしっかりと固定できるゴミ集積ボックスを提供する。【解決手段】方形に配置する囲い部材Ａのうち、背面の囲い部材２を主支柱５により支承し、両側面の囲い部材３を中折れする前後の分割構造として奥行き方向に折り畳むゴミ集積ボックス１は、ポール５に並列に連結固定する基礎支柱３７の下端に、設置個所に固定する支持板３８を設け、支持板３８には、アンカーボルト用の貫通孔を複数設け、主支柱５の下端には、地面４４との長さを調節可能なボルト脚２８を設ける。【選択図】        図１
2006143386.tif 000002
【特許請求の範囲】
【請求項１】
方形に配置する囲い部材のうち、背面または前面の囲い部材を主支柱で支承し、両側面の囲い部材を中折れする前後の分割構造として奥行き方向に折り畳むゴミ集積ボックスにおいて、主支柱に並列に連結固定する基礎支柱の下端には、設置個所に固定する支持板を設け、支持板には、アンカーボルト用の貫通孔を複数設け、主支柱の下端には、地面又は支持板との長さを調節可能なボルト脚を設けることを特徴とするゴミ集積ボックス。
【請求項２】
支持板には、設置個所に対する支持板の水平位置調整を行うアジャスターボルトのネジ孔を設ける請求項１記載のゴミ集積ボックス。
【請求項３】
コの字型の支持金具の中央部を基礎支柱に対して平行に位置付けるとともに、その上部及び下部に形成する貫通孔に基礎支柱を貫通させて、その下部を支持板に固定する請求項１または請求項２記載のゴミ集積ボックス。
【請求項４】
主支柱と基礎支柱との連結固定は、固定用フランジを有する開閉可能なリング状の取付金物を主支柱及び基礎支柱の各々に取り付けて、互いの固定用フランジをボルト締めして行う請求項１ないし請求項３のいずれかに記載のゴミ集積ボックス。
【請求項５】
ボルト脚の頭部の当接部材を、地面又は支持板上に配置する請求項１ないし請求項４のいずれかに記載のゴミ集積ボックス。
【請求項６】
前面及び両側面の囲い部材に、その下端より垂下して地面に接する可撓性の裾を設ける請求項１ないし請求項５のいずれかに記載のゴミ集積ボックス。
【請求項７】
背面及び前面の囲い部材のそれぞれの上部の少なくとも左右両端と中央に枠状の支持部材を突設し、中央部が上下いずれか一方に湾曲する押さえ部材を、左右両端の支持部材と中央の支持部材との間に回動自在に架渡す請求項１ないし請求項６のいずれかに記載のゴミ集積ボックス。
【発明の詳細な説明】
【技術分野】
【０００１】
本発明は、一般家庭等から出される一般ゴミの集積所に設置可能であるとともに、公園などの公共場所などにも設置可能なゴミ集積ボックスに関するものである。
【背景技術】
【０００２】
一般家庭から出される一般ゴミは、多くの場合、道路端などに設定された所定のゴミ集積場所に所定の曜日の所定の時間に出し、ゴミ収集車がこのゴミを収集し、焼却場に運搬し焼却処理している。
【０００３】
かかるゴミ集積場所は、前記のように道路端等の特定の場所を指定するものであるが、ここに集積するゴミがちらばらないように、また、集積場所を明示するようにゴミ集積ボックスを設置する所もあり、このゴミ集積ボックスとしては、従来、例えば周囲を完全に閉塞しゴミ出し入れ用の扉を設けたコンテナ状のタイプのものや、上面のみを開放面に形成した囲い形状のものなど種々のタイプがあり、これらのゴミ集積ボックスは集積場所に常設されている。
【０００４】
そして、このようなゴミ集積ボックスは近年、家庭から出されるゴミの量が増加していることもあって、大きさが例えば奥行き１〜２ｍ、長さ方向の幅が２〜３ｍ程度の大型のものとなっている。
【０００５】
ところで、ゴミの収集は所定曜日の所定時間にのみ行われるものであるにもかかわらず、前記のようなゴミ集積ボックスが歩道や車道の端に常時設置されると、ボックス単体が道路上で占有する容積が大きく道路中央に向かって大きく突出し、しかも、これが道路端にそって比較的短い間隔で設置されているため、歩行や車両通行に常時支障を来し、交通事故を誘発するおそれもある。
【０００６】
また、ゴミ収集日や時間以外の時にもゴミが出されるおそれがあり、ゴミ集積場所が汚れ、街の景観を損なうことにもなる。
【０００７】
これらの不都合を解消するものとして発明者は、道路端にゴミ集積ボックスを設置する場合に、ゴミ収集日の収集が終了した後はこのゴミ集積ボックスが道路に大きく突出することがなく、歩行者や自動車の通行の邪魔になることを防止でき、設置や移動も容易で使い勝手がよく、周囲の景観も損なうおそれのないゴミ集積ボックスについて発明し、以下の特許出願を行った。
【特許文献１】特開平１１−２０８８０２号公報
【特許文献２】特開２００４−０８３２７９号公報
【０００８】
例えば、特許文献２において提案するゴミ集積ボックスは、図１０に示すように、背面の囲い部材２と両側面の囲い部材３と前面の囲い部材４とで形成する囲い部材Ａと、背面の囲い部材２を固定する支柱としての門型のコ字形のポール５とを主な構成要素とする。各囲い部材２，３，４は、形態としては網形状、格子状、柵形状などフェンスとして機能するものである。
【０００９】
両側面の囲い部材３は、前後の分割部材３ａ，３ｂで中折れ可能に構成し、前後の分割部材３ａ，３ｂ同志を蝶番１１で回動自在に結合するとともに、後側の分割部材３ｂを背面の囲い部材２の枠体２ａの左右両側の縦枠に蝶番（不図示）で回動自在に結合し、また、前側の分割部材３ａを前面の囲い部材４の枠体４ａの縦枠に同じく蝶番（不図示）で回動自在に結合する。
【００１０】
ポール５は、直径約６０ｍｍ程度の円管をコ字形に折り曲げて高さ約１０００ｍｍ、長さ１６００ｍｍ程度の本体５ａとし、これを設置場所に固定する第１例としては、例えば地中に埋設した円管状の脚柱５ｂに本体５ａを挿入して固定する。
【００１１】
かかるゴミ集積ボックス１を車道や歩道等の道路の端に設置するには、例えば道路の端に配設してあるブロックに固定用の孔を穿設し、この孔に脚柱５ｂを埋設し、該脚柱５ｂにポール５の本体５ａの下部を挿入し固定する。このポール５の固定により、該ポール５に固定してある囲い部材Ａのうちの背面の囲い部材２も同時に道路に設置されることになる。
【００１２】
ゴミ収集後に引き出された囲い部材Ａを折り畳むには、前面の囲い部材４に設けた把手１３をもって、前面の囲い部材４を後方に押せば、後方への押圧力によって両側面の囲い部材３が蝶番１１の箇所で中折れ状態となって前後の分割部材３ａ，３ｂが折り畳まれ、これら前後の分割部材３ａ，３ｂと前面の囲い部材４とが重合した状態で背面の囲い部材２の前面に折り重なり、全体が偏平状態に畳まれる。
【００１３】
なお、特許文献２においては、ポール５の固定手段として、前記した第１例の実施形態以外にも、例えば図１１に示すようなボルト方式（第２例）とすることもできることが開示されている。
【００１４】
このボルト方式は、基本的には図１１、図１２に示すようにポール５の本体５ａの下部に挿着される連結金物２７と、先端にナット２８ａを取り付けたボルト２８とで構成するもので、前記連結金物２７は、下部にフランジ２７ｂを設けた２重管構造とし内管部分の内側に前記ボルト２８が螺合するネジ部２７ａを形成したものである。
【００１５】
かかるボルト２８を使用してポール５を道路などに立設するには、第１例として図１１に示すように本体５ａの下部に連結金物２７を挿入し、連結金物２７に形成してあるネジ部２７ａにボルト２８を螺合する。この場合、連結金物２７にはフランジ２７ｂが設けてあるから、このフランジ２７ｂがストッパーとして機能し連結金物２７が本体５ａの内部に入り込むことはない。
【００１６】
このようにして連結金物２７を介してボルト２８を取り付けた本体５ａを道路などに固定するには、例えば図１３に示すように道路面を僅か（例えば２０ｍｍ程度）に堀り、ここに鉄板などの板状部材２９を配設し、該板状部材２９に設けた孔部（不図示）にボルト２８の端部に取り付けたナット２８ａを装着する。
【００１７】
これにより板状部材２９、ボルト２８を介してポール５を立設する。この場合、ポール５の立設は、板状部材２９を配設できるスペースがあればよいから、図１３に示すようにブロック塀３１と側溝３０の間の僅かな隙間にも立設が可能となる。
【００１８】
また、ゴミ集積ボックスを住宅のブロック塀３１の前に設置する場合は、図１３に示すように、本体５ａの上部に通常「デンデン」と称せられるリング状の取付金物３２を取り付け、この取付金物３２をフック状の固定金具３３でブロック塀３１に固定する。
【００１９】
フック状の固定金具３３は、道路側に配置されるＬ字形の固定金具と、宅地内側に配置されるＬ字形の固定金具との分割体の組み合わせで構成され、それぞれの頂部をブロック塀３１の上面に掛止して上下に重合させながら、道路側に配置されるＬ字形の固定金具をポール５に固定し、宅地内側に配置されるＬ字形の固定金具をブロック塀３１の宅地内側に固定して、フック状の固定金具３３をブロック塀３１に固定する。
【００２０】
そして、固定金具３３の頂部に穿設してある複数の孔をブロック塀３１の幅に対応させて選択し重ね合わせて結合する。これにより、固定金具３３がブロック塀３１に固定され、該固定金具３３を介してポール５がブロック塀３１に固定される。
【００２１】
また、図１４に示すように、ブロック塀３１を貫通させてアンカーボルト３６を取り付け、該アンカーボルト３６に、ポール５に取り付けたリング状の取付金物３２を固定することによっても、ゴミ集積ボックス１を住宅のブロック塀３１の前に設置することができる。この場合、アンカーボルト３６の先端はブロック塀３１の宅地中側に突出させナットで固定する。
【発明の開示】
【発明が解決しようとする課題】
【００２２】
ゴミ集積ボックス１を設置場所に固定するために支柱であるポール５を立てる際、前記第１例に示す方法では、ポール５の直径よりも大きな直径の穴を地面に形成し、地中に円管状の脚柱５ｂを埋設しなければならなかった。
【００２３】
しかし、ゴミ集積ボックス１の設置場所は通常市街地であり、必ずしも脚柱５ｂを埋設できるような穴を形成できるとは限らない。
【００２４】
また、前記第２例に示すように、ボルト方式を採用する場合には、連結金物２７、板状部材２９及びボルト２８のみでの固定では不安定であるため、前記したように、取付金物３２及びフック状の固定金具３３を使用してブロック塀３１に固定したり、ブロック塀３１を貫通させてアンカーボルト３６を取り付け、該アンカーボルト３６に、ポール５に取り付けたリング状の取付金物３２を固定したりするが、一般にブロック塀３１のような塀は個人の住宅の一部であり、それに固定金具３３を取り付けたりアンカーボルト３６を貫通させたりするのは、個人の住宅の一部に傷をつけることとなり、塀の所有者に対して不快感を与える場合もある。
【００２５】
しかし、発明者が先に特許出願を行った特許文献１、２に記載のゴミ集積ボックスは、道路端にゴミ集積ボックスを設置する場合に、ゴミ収集日の収集が終了した後はこのゴミ集積ボックスが道路に大きく突出することがなく、歩行者や自動車の通行の邪魔になることを防止でき、設置や移動も容易で使い勝手が良いという大きな利点があり、このようなゴミ集積ボックスを、大きな穴を形成し難い場所や壁際などの狭い場所においてもしっかりと固定して使用できるようにすることが望まれている。
【００２６】
本発明の目的は前記従来例の不都合を解消し、道路端にゴミ集積ボックスを設置する場合に、ゴミ収集日の収集が終了した後はこのゴミ集積ボックスが道路に大きく突出することがなく、歩行者や自動車の通行の邪魔になることを防止でき、設置や移動も容易で使い勝手がよく、また、設置個所に大きな穴を形成したり付近の壁に負荷をかけることなく、設置個所に省スペースでしっかりと固定できるゴミ集積ボックスを提供することにある。
【課題を解決するための手段】
【００２７】
本発明は前記目的を達成するため、請求項１記載の発明は、方形に配置する囲い部材のうち、背面または前面の囲い部材を主支柱で支承し、両側面の囲い部材を中折れする前後の分割構造として奥行き方向に折り畳むゴミ集積ボックスにおいて、主支柱に並列に連結固定する基礎支柱の下端には、設置個所に固定する支持板を設け、支持板には、アンカーボルト用の貫通孔を複数設け、主支柱の下端には、地面又は支持板との長さを調節可能なボルト脚を設けることを要旨とするものである。
【００２８】
請求項１記載の本発明によれば、ゴミ集積ボックスは奥行き方向に折り畳み可能であるから、道路端にこのゴミ集積ボックスを設置する場合に、ゴミ収集日の収集が終了した後はゴミ集積ボックスが道路に大きく突出することがなく、歩行者や自動車の通行の邪魔になることを防止できるという従来の作用に加えて、ゴミ集積ボックス本体を支える主支柱に並列に連結固定するとともにその下端に設ける支持板により設置個所に対してアンカーボルトで固定する基礎支柱と、主支柱の下端を支えるボルト脚とを設けたから、支持板が基礎支柱を介して主支柱を支えるとともにボルト脚が主支柱と地面又は支持板との間で緊張状態を保って主支柱を支え、２段構えの構成で、主支柱をしっかりと地面に固定することが出来る。
【００２９】
また、支持板はアンカーボルトで固定するものであるから、設置個所となる地面に大きな穴を予め形成することを要しない。また、アンカーボルトで固定する支持板とボルト脚のスペースさえあれば、ゴミ集積ボックス本体をしっかりと固定して設置できるから、周辺の壁に傷をつけるなどの負荷をかけることなく、省スペースで設置できる。
【００３０】
なお、設置の際には支持板をアンカーボルトで固定してから主支柱と基礎支柱を連結して、ボルト脚の長さを調節して主支柱を地面又は支持板上に立設するだけで良い。また、ゴミ集積ボックスの本体部分のみ移動する際には主支柱と基礎支柱との連結を解除すれば容易にゴミ集積ボックスの本体部分を取り外すことが出来るし、ゴミ集積ボックス全体を移動する場合でも、ボルト脚を緩めるとともに支持板のアンカーボルトを解除するだけで取り外しが可能であるから、設置や移動も容易で使い勝手が良い。
【００３１】
請求項２記載の発明は、支持板には、設置個所に対する支持板の水平位置調整を行うアジャスターボルトのネジ孔を設けることを要旨とするものである。
【００３２】
請求項２記載の本発明によれば、支持板に設けたネジ孔にアジャスターボルトを螺合し、その高さを調節することにより、設置個所に対する支持板の水平位置調整を容易に行うことが出来、設置個所の地面等が傾いている場合でも、ゴミ集積ボックスの本体部分を設置個所に対して容易に水平にすることが出来る。
【００３３】
請求項３記載の発明は、コの字型の支持金具の中央部を基礎支柱に対して平行に位置付けるとともに、その上部及び下部に形成する貫通孔に基礎支柱を貫通させて、その下部を支持板に固定することを要旨とするものである。
【００３４】
請求項３記載の本発明によれば、支持板上にコの字型の支持金具を設け、主支柱を支える基礎支柱をコの字型の支持金具により更に支えるようにしたから、このような簡単な構成により、主支柱をよりしっかりと支えることが出来る。
【００３５】
請求項４記載の発明は、主支柱と基礎支柱との連結固定は、固定用フランジを有する開閉可能なリング状の取付金物を主支柱及び基礎支柱の各々に取り付けて、互いの固定用フランジをボルト締めして行うことを要旨とするものである。
【００３６】
請求項４記載の本発明によれば、主支柱と基礎支柱とを連結固定する際には、両支柱の外周面を囲んで取り付けるリング状の取付金物の固定用フランジ同士をボルトによりネジ留め固定することにより連結するだけで良く、逆に主支柱と基礎支柱との連結を解除する際には、このネジ留めを外せば良いから、簡単な構成により、ゴミ集積ボックスの設置及び移動時の主支柱と基礎支柱と連結固定及び解除を容易に行うことが出来る。
【００３７】
請求項５記載の発明は、ボルト脚の頭部の当接部材を、地面又は支持板上に配置することを要旨とするものである。
【００３８】
請求項５記載の本発明によれば、ボルト脚の頭部に当接する部分が凹凸の大きい地面であったり、ボルト脚の頭部が支持板上に位置しつつも一部はみ出してしまう場合などには、ボルト脚を安定して立設することが困難であるが、そのような場合あっても、そのような地面又は支持板上に、当接部材を配置して安定した面とした上で、ボルト脚の頭部を当接部材に当接させるようにしたから、ボルト脚の頭部が位置する部分の状態に左右されずに、ボルト脚を安定して立設することができる。
【００３９】
請求項６記載の発明は、前面及び両側面の囲い部材に、その下端より垂下して地面に接する可撓性の裾を設けることを要旨とするものである。
【００４０】
請求項６記載の本発明によれば、前面及び両側面の囲い部材の下端より垂下して地面に接する可撓性の裾を設けたから、前面及び両側面の囲い部材の下側からネコなどの動物が侵入してゴミを食い散らかすことを防止できる。
【００４１】
請求項７記載の発明は、背面及び前面の囲い部材のそれぞれの上部の少なくとも左右両端と中央に枠状の支持部材を突設し、中央部が上下いずれか一方に湾曲する押さえ部材を、左右両端の支持部材と中央の支持部材との間に回動自在に架渡すことを要旨とするものである。
【００４２】
請求項７記載の本発明によれば、ゴミ集積ボックス内に投入したゴミが囲い部材より上方まで積み上げられた際、押さえ部材によりゴミを押さえて、ゴミ集積ボックス上部からゴミが溢れ出してしまうのを防ぐことが出来る。
【００４３】
また、この押さえ部材は上下いずれか一方に湾曲するとともに左右両端の支持部材と中央の支持部材との間に回動自在に架渡すようにしたから、ゴミの集積量が比較的少なく、積み上げられたゴミの高さが比較的低い場合には、押さえ部材の湾曲部分が下側に位置するように回動させて湾曲部分によりゴミを押さえ、逆にゴミの集積量が比較的多く、積み上げられたゴミの高さが比較的高い場合には、押さえ部材の湾曲部分が上側に位置するように回動させて、積み上げられたゴミの上部を湾曲部分により押さえるようにして、ゴミの山が崩れて溢れ出すことを防止することが出来る。
【発明の効果】
【００４４】
本発明のゴミ集積ボックスは、道路端にゴミ集積ボックスを設置する場合に、ゴミ収集日の収集が終了した後はこのゴミ集積ボックスが道路に大きく突出することがなく、歩行者や自動車の通行の邪魔になることを防止でき、設置や移動も容易で使い勝手がよく、また、設置個所に大きな穴を形成したり付近の壁に負荷をかけることなく、設置個所に省スペースでしっかりと固定できる。
【発明を実施するための最良の形態】
【００４５】
以下、図面について本発明の実施形態を詳細に説明する。図１は本発明のゴミ集積ボックスの実施形態を示す引き出した状態の全体斜視図で、前記従来技術と同様の構成については同じ符号を付す。
【００４６】
本発明のゴミ集積ボックス１の主な構成は従来と同様に、背面の囲い部材２と左右両側面の囲い部材３と前面の囲い部材４とで形成される囲い部材Ａと、背面の囲い部材２が固定される門型のコ字形のポール５とで構成される。各囲い部材２，３，４は材質としてアルミニウム、鉄、ステンレスなどを使用し、形態としては網形状、格子状、柵形状などフェンスとして機能するものであれば図示のような網形状のものに限定されない。
【００４７】
ポール５は、直径約４０ｍｍ程度の円管をコ字形に折り曲げて高さ約１０００ｍｍ、長さ１６００ｍｍ程度の本体５ａとし、その下面にボルト２８を取り付ける。ボルト２８の取り付け方法は従来と同様に、図１１、図１２に示すように、ポール５の本体５ａの下部に挿着される連結金物２７とボルト２８とで構成するもので、前記連結金物２７は、下部にフランジ２７ｂを設けた２重管構造とし内管部分の内側に前記ボルト２８が螺合するネジ部２７ａを形成したものである。
【００４８】
なお、本実施例ではボルト２８の先端にナット２８ａを取り付ける代わりに、図１に示すように、ボルト２８と一体形成する頭部２８ｂを設ける。
【００４９】
この連結金物２７を本体５ａの下部に挿入し、連結金物２７に形成してあるネジ部２７ａにボルト２８を螺合する。これにより、ボルト２８はボルト脚となる。この場合、連結金物２７にはフランジ２７ｂが設けてあるから、このフランジ２７ｂがストッパーとして機能し連結金物２７が本体５ａの内部に入り込むことはない。
【００５０】
更に、ゴミ集積ボックス１を支持する主支柱としてのポール５の本体５ａに対して平行に、基礎支柱３７を立設する。基礎支柱３７は図２に示すように、設置個所に水平に固定される支持板３８上に立設し、更に支持金具４１により補助的に支えられるものであり、例えば直径２８ｍｍ、高さ６００ｍｍの金属製の円筒により構成する。
【００５１】
また、支持板３８は図３に示すように、厚さ６ｍｍ、幅２００ｍｍ、奥行き１１０ｍｍの方形の金属板であって、四隅を面取りし、更に上面の縁も面取りする。そして、アンカーボルトの貫通孔３９、水平位置調整用のアジャスターボルトを取り付けるネジ孔４０を、それぞれ四隅付近に設け、基礎支柱３７の嵌め込み孔３７ａを手前側（図中下側）に形成する。なお、嵌め込み孔３７ａの直径は、基礎支柱３７の直径よりも僅かに大きい２８．２ｍｍとする。
【００５２】
支持金具４１は図４に示すように、その中央部４１ａを基礎支柱３７と同様に地面に対して垂直に位置付けるとともに、その上部４１ｂ及び下部４１ｃを水平方向に折り曲げてコの字型とし、その上部４１ｂ及び下部４１ｃに基礎支柱３７の貫通孔４２ｂ、４２ｃを形成するものであり、例えば厚さ６ｍｍの金属板により形成する。なお、貫通孔４２ｃの直径は、基礎支柱３７の直径よりも僅かに大きい２８．２ｍｍとし、２箇所の隅を面取りする。
【００５３】
この支持金具４１の下部４１ｃを、貫通孔４２ｃの位置を支持板３８の嵌め込み孔３７ａの位置に合わせた状態で、図３に示す支持板３８上の溶接面４２に溶接固定する。その後、基礎支柱３７を支持金具４１の貫通孔４２ｂ，４２ｃに挿入し、支持板３８の嵌め込み孔３７ａに嵌め込み溶接する。
【００５４】
これにより、基礎支柱３７、支持金具４１、支持板３８が一体となり、これら全体を一体として取り扱うこととなる。
【００５５】
本体５ａの上部には、左右端部近傍に高さ２７０ｍｍ程度でパイプ状の支柱６，６を立設し、この支柱６，６の間に植木鉢の保持棚７を取り付ける。この保持棚７は、細長の枠状に形成したもので、長さ方向に適宜間隔で複数（図示の例では４個）の保持孔７ａを形成した。該保持孔７ａの直径は例えば１００ｍｍとする。
【００５６】
支柱６，６の左右両側に位置させて広告板８を取り付ける。該広告板８は支柱６とほぼ同じ高さで、ポール５の本体５ａより外方に突出しない長さとする。そして、この広告板８は自治会の掲示板として使用する他に、街の案内図や商店の広告、周囲の景観にマッチする図柄、例えば草木などの絵を描く。
【００５７】
囲い部材Ａは、前記のように背面の囲い部材２と左右両側面の囲い部材３と前面の囲い部材４とで形成されるが、背面の囲い部材２と前面の囲い部材４とは基本的には同一の構成であり、ここでは背面の囲い部材２を例にとって説明する。
【００５８】
背面の囲い部材２は、ポール５の本体５ａの内側に納まるサイズのものとして、横方向の長さが約１５００ｍｍ、高さ４４０ｍｍ程度の大きさに形成し、周囲を方形の枠体２ａで囲み、その内側に網状体２ｂを形成した。枠体２ａのうち、左右両側の縦枠はＬ字形のアングル鋼板で形成する。
【００５９】
かかる枠体２ａの上部から、少なくとも左右両端と中央に縦長の枠状の支持部材９を突設し、該支持部材９の上部および枠体２ａの縦枠の外側に突設した連結杆１０の先端をポール５の本体５ａの内側に溶接により接合して枠体２ａをポール５の本体５ａに固定する。
【００６０】
左右両側面の囲い部材３は従来と同様に、前後の分割部材３ａ，３ｂで中折れ可能に構成し、前後の分割部材３ａ，３ｂ同志を蝶番１１で回動自在に結合するとともに、後側の分割部材３ｂを背面の囲い部材２の枠体２ａの左右両側の縦枠に蝶番１１（不図示）で回動自在に結合し、また、前側の分割部材３ａを前面の囲い部材４の枠体４ａの縦枠に同じく蝶番１１（不図示）で回動自在に結合する。
【００６１】
この場合、蝶番１１は前後の分割部材３ａ，３ｂ同志が中折れする方向、また、後側の分割部材３ｂおよび前側の分割部材３ａがそれぞれ囲い部材Ａの内側に折れる方向には回動するが、その反対方向へは、前後の分割部材３ａ，３ｂが一枚物の平板状の状態になった後はそれ以上の回動が阻止されるように構成しておく。
【００６２】
各分割部材３ａ，３ｂの構成も、背面の囲い部材２、前面の囲い部材４と同様であり、周囲の枠体の内側に網状体を形成したものである。
【００６３】
このようにして、方形の枠状に形成される囲い部材Ａの、背面の囲い部材２の中央と前面の囲い部材４の中央とを、中折れ自在な支持アーム１２で連結する。
【００６４】
この支持アーム１２は、前側の支持アーム１２ａと後側の支持アーム１２ｂとの組み合わせで構成し、前側の支持アーム１２ａの前端を前面の囲い部材４の枠体４ａの上部に回動自在に軸着し、後側の支持アーム１２ｂの後端を背面の囲い部材２の枠体２ａの上部に回動自在に軸着し、さらに、前側の支持アーム１２ａの後端と後側の支持アーム１２ｂの前端とを回動自在に軸着した。図中１４は支持アーム１２の長さ方向に適宜間隔で多数穿設した孔を示し、支持アーム１２の軽量化を図るためのものである。
【００６５】
図中１３は、前面の囲い部材４の上部に突設した支持部材９の上部に取り付けた把手を示し、前面の囲い部材４も基本構成は前記したように背面の囲い部材２と同様であるが、背面の囲い部材２に溶接した連結杆１０は不要である。
【００６６】
そして、背面の囲い部材２および前面の囲い部材４にそれぞれ取り付けた支持部材９のうち、左右両端の支持部材９と中央の支持部材９との間に、押さえ部材１５を架渡す。押さえ部材１５は、その端部に対して中央部が上下いずれか一方に湾曲しており、支持部材９に孔を形成して、その孔に押さえ部材１５の端部を挿入するようにして、支持部材９に対して回動自在に取り付ける。
【００６７】
図中１７は防護ネットを示し、支持部材９で支持するようにして囲い部材Ａの上方を覆うものであり、上面部、前面部及び左右の側面部を覆うように各面を連続して形成し、背面側を開放面とした箱型のものである。
【００６８】
さらに、広告板８および防護ネット１７の上にフック１８を適宜取り付けて、このフックにテグス１９を取り付ける。
【００６９】
図中２０は箒や塵取りなどの清掃用具を掛けるフックを示し、ポール５の側面に設けたものであり、水平方向Ｕ字形の保護部を上下に有する。
【００７０】
更に、前面の囲い部材４及び両側面の囲い部材３に、その下端より垂下して地面に接する可撓性の裾２１を設ける。裾２１は、例えばネットにより構成するが、ブラシ状のものであっても良い。
【００７１】
このようにして構成するゴミ集積ボックス１の本体５ａを、ブロックにより仕切られた車道と歩道の間など、道路の端に固定するには、図１に示すように、まずブロック４３上に支持板３８を固定して、基礎支柱３７を設置する。このとき、基礎支柱３７とポール５の本体５ａとを近接させるため、支持板３８は図３に示すＢ側を手前にして固定する。
【００７２】
支持板３８の固定方法は、図７に示すように、支持板３８に設ける貫通孔３９にアンカーボルト４６を貫通させ、更にアンカーボルト４６の頭部４６ａをブロック４３にめり込ませる。なお、アンカーボルト４６の頭部４６ａは、アンカーボルト４６をかしめることにより拡径する構造を有するもので、これにより、アンカーボルト４６がブロック４３から抜け難くなり、よりしっかりと支持板３８を固定することが出来る。
【００７３】
また、ブロック４３が傾いている場合には、水平位置調節用のアジャスターボルト４７を支持板３８のネジ孔４０に螺合させて嵌め込み、アジャスターボルト４７の締め具合により支持板３８の水平位置を調節する。
【００７４】
このようにして、支持板３８をブロック４３上に固定することにより、基礎支柱３７及び支持金具４１をブロック４３上に立設する。
【００７５】
次に、このように立設した基礎支柱３７に主支柱としてのポール５の本体５ａを連結固定するには、例えば図５に示すような、取付金物２２，２３を使用する。この取付金物２２，２３は通常「デンデン」と称せられ、厚さ２ｍｍ、幅２４ｍｍの金属板をリング状に形成したものである。
【００７６】
取付金物２２，２３は１箇所にヒンジ部２２ａを有し、その反対側は金属板を外部に向かって折り曲げてフランジ部２２ｂとし、この部分で開閉可能となっている。フランジ部２２ｂには直径９ｍｍのネジ孔２２ｃを設ける。なお、基礎支柱３７に取り付ける取付金物２２のリング状部分の直径は、基礎支柱３７の直径と同じ２８ｍｍとし、ポール５の本体５ａに取り付ける取付金物２３のリング状部分の直径は、ポール５の本体５ａの直径と同じ４０ｍｍとする。また、取付金物２２，２３のうち一方のネジ孔２２ｃの形状を、横方向の長さを１４ｍｍとし、横長として横方向に余裕を持たせる。
【００７７】
この取付金物２２，２３を、基礎支柱３７、ポール５の本体５ａの外周面を囲むようにしてそれぞれ取り付け、お互いのネジ孔２２ｃを重ね合わせた状態で、不図示のボルトとナットとのネジ留め固定により連結する。この際、ワッシャ（不図示）を使用して、緩みの無い様に連結固定する。
【００７８】
このようにして、基礎支柱３７、ポール５の本体５ａの上下２箇所を取付金物２２，２３により連結固定する。
【００７９】
更に、ポール５の本体５ａの下端を以下のようにして立設する。例えば、ゴミ集積ボックス１を引き出す側である歩道側の地面４４を僅か（例えば２０ｍｍ程度）に堀り、又は地面４４上にそのまま当接部材３４を配置して、該当接部材３４にボルト２８の頭部２８ｂを当接させる。なお、当接部材３４は金属板よりなり、その面積は、ボルト２８の頭部２８ｂの面積よりも大きなものとする。
【００８０】
ボルト２８の頭部２８ｂが直接地面４４に当接した場合には、ポール５の本体５ａからの荷重を受ける頭部２８ｂが、その荷重の力によって地面４４を削ることにより頭部２８ｂと地面４４との当接状態が保てなくなってしまったり、地面４４の凹凸により頭部２８ｂが地面４４に安定して固定できなくなる場合も生じうるが、これに比べて、当接部材３４を地面４４上に配置した場合には、ポール５の本体５ａからの荷重は当接部材３４全面に広く分散されるから、当接部材３４が地面４４を削ってボルト２８の頭部２８ｂと地面４４とが離間してしまうこともなく、当接部材３４の平面上に頭部２８ｂが密着して、当接部材３４及びボルト２８を介してポール５を地面４４上に安定して固定することができる。
【００８１】
また、この場合、ポール５の立設は、当接部材３４を配設できるスペースがあればよいから、ブロック４３の手前が狭い溝であるような場合であっても、その溝に当接部材３４を嵌め込んでポール５を立設することができる。
【００８２】
このように、ポール５の本体５ａはボルト２８と当接部材３４を介して地面４４上に立設されるとともに、ブロック４３上に立設固定する基礎支柱３７によっても支えられ、安定した設置状態となる。
【００８３】
なお、ゴミ集積ボックス１を図６に示すようなブロック塀３１等の壁際のブロック４３上に設置する場合には、基礎支柱３７をブロック塀３１際に近づけ、ゴミ集積ボックス１がブロック塀３１から大きく突出しないようにするため、図３に示す支持板３８のＣ側を手前にしてブロック４３上に支持板３８を固定する。なお、支持板３８の固定は前記同様、アンカーボルト４６により行い、適宜アジャスターボルト４７により水平位置の調節を行う。
【００８４】
また、ブロック塀３１と基礎支柱３７との間隔や、基礎支柱３７とポール５の本体５ａとの間隔に影響を与えないよう、支持金具４１の取り付け方向は、図６に示すように、横向きにして支持板３８上に溶接固定する。
【００８５】
更に、基礎支柱３７とポール５の本体５ａとの間隔の関係上、ボルト２８の頭部２８ｂの位置が支持板３８の縁にかかるような場合には、当接部材３４を支持板３８上に配置し、そこにボルト２８の頭部２８ｂが当接するようにする。
【００８６】
これにより、基礎支柱３７とポール５の本体５ａとの間隔の関係上、ボルト２８の頭部２８ｂの位置が支持板３８の縁にかかるような場合であっても、ボルト２８の頭部２８ｂを当接部材３４上で安定させることができる。
【００８７】
そして、ポール５の本体５ａはボルト２８、当接部材３４及び支持板３８を介してブロック４３上に立設されるとともに、ブロック４３上に立設固定する基礎支柱３７によっても支えられ、この場合も前記同様、安定した設置状態となる。
【００８８】
なお、図示はしないが、ブロック塀３１等の壁際の地面４４上に直接ゴミ集積ボックス１を設置する場合にも、地面４４上に同様にして、ポール５及びそれを支える基礎支柱３７を設置する。
【００８９】
そしてこのポール５の固定により、該ポール５に固定してある囲い部材Ａのうちの背面の囲い部材２も同時に道路に設置されることになる。このようにしてポール５を立設した後、蝶番１１を介して左右の側面側の囲い部材３の後端を背面の囲い部材２に結合し、さらに、左右の側面側の囲い部材３の前端に前面の囲い部材４の端部を蝶番１１を介して結合する。
【００９０】
また、前面の囲い部材４に取り付けてある前側の支持アーム１２ａと背面の囲い部材２に取り付けてある後側の支持アーム１２ｂとを連結し、支持アーム１２を前面の囲い部材４と背面の囲い部材２との間に折り畳み自在に架け渡す。これにより、上面を開放面とした囲い部材Ａがボックス状に組み立てられ、支持アーム１２がつっかえ棒として機能して方形が保持される。
【００９１】
さらに、支持部材９に防護ネット１７を被せて囲い部材Ａの上方を覆い、ポール５の側面に設けたフック２０に清掃用具を掛ける。また、植木鉢の保持棚７に形成した保持孔７ａに必要に応じて植木鉢を配置する。
【００９２】
こうして平面方形に組み立てられたゴミ集積ボックス１内に上部の開放面からゴミを投入する。ゴミ投入時には、投入者が各自で、防護ネット１７の手前側を手で少しだけ引き上げてゴミ投入用の開口を作ればよい。投入されたゴミは、ゴミ収集車で収集する。この収集の際も、作業員が防護ネット１７の手前側を手で引き上げてゴミ取り出し用の開口を形成する。
【００９３】
収集までの間は、防護ネット１７及び裾２１により烏や猫等の動物によりゴミが食い散らかされることを防止できる。また、テグス１９により、特に烏による被害をくい止めることができる。
【００９４】
また、囲い部材Ａが引き出されて設置されている状態では、背面の囲い部材２、左右側面の囲い部材３、前面の囲い部材４はそれぞれ蝶番１１で連結されているから、囲い部材Ａ全体として撓むような遊びを有し、子供などが囲い部材Ａにぶつかっても囲い部材Ａがしなることにより、衝撃を吸収でき大きな怪我をすることを防止できる。
【００９５】
更に、図８に示すように、ゴミ集積ボックス１内に投入したゴミ２４が囲い部材Ａより上方まで積み上げられた際、押さえ部材１５によりゴミ２４を押さえて、ゴミ集積ボックス１上部からゴミ２４が溢れ出してしまうのを防ぐことが出来る。
【００９６】
また、この押さえ部材１５はその中央部１５ａが上下いずれか一方に湾曲するとともに、左右両端の支持部材９と中央の支持部材９との間に回動自在に架渡すようにしたから、ゴミ２４の集積量が比較的少なく、積み上げられたゴミ２４の高さが比較的低い場合には、図８に示すように、押さえ部材１５の湾曲部分が下側に位置するように回動させて湾曲部分である中央部１５ａによりゴミ２４を押さえるようにすることができる。
【００９７】
逆に図９に示すように、ゴミ２４の集積量が比較的多く、積み上げられたゴミ２４の高さが比較的高い場合には、押さえ部材１５の湾曲部分が上側に位置するように回動させて、積み上げられたゴミ２４の上部を湾曲部分である中央部１５ａにより押さえるようにして、ゴミ２４の山が崩れて溢れ出すことを防止することが出来る。
【００９８】
ゴミ収集後、周囲の道路上などに飛散したゴミは、ポール５に取り付けてある清掃用具で清掃する。清掃用具は、不使用時にはフック２０に掛止されているが、この状態では上下に形成した水平方向Ｕ字形の保護部の内部に納まるから、風などの力を受けて搖れ動いてもぐらついたり、飛散することを防止でき、安全性を確保できる。
【００９９】
ゴミ収集後に引き出された囲い部材Ａを折り畳むには、把手１３をもって、前面の囲い部材４を後方に押せば、後方への押圧力によって左右側面側の囲い部材３が蝶番１１の箇所で中折れ状態となって前後の分割部材３ａ，３ｂが折り畳まれ、これら前後の分割部材３ａ，３ｂと前面の囲い部材４とが重合した状態で背面の囲い部材２の前面に折り重なり、全体が偏平状態に畳まれる（図５参照）。
【０１００】
このとき、中央の支持アーム１２は、前後の支持アーム１２ａ，１２ｂが結合箇所で上方に持ち上がり中折れ状態となり、前後の支持アーム１２ａ，１２ｂは立ち上がった状態で前後に重なる。そして、前後の支持アーム１２ａ，１２ｂが折り畳まれるときに、支持アーム１２によって前面の囲い部材４が後方に引き寄せられることになり、囲い部材Ａの折り畳みはワンタッチ的にスムーズに行える。
【０１０１】
そして、支持アーム１２には多数の孔１４が穿設されて軽量化が図られているから、前後の支持アーム１２ａ，１２ｂは容易に引き上げられ、また、手を添えて引き上げを助ける場合にも、作業性のよいものになっている。
【０１０２】
また、囲い部材Ａを折り畳むとき、防護ネット１７や裾２１を外す必要はなく、装着したままの状態で、防護ネット１７及び裾２１毎囲い部材Ａ全体を折り畳める。
【０１０３】
さらに、折り畳んだ状態では、囲い部材Ａは偏平になりポール５の内側に納まるから、ポール５により囲い部材Ａの保護が図れる。
【０１０４】
次回のゴミ収集時には、把手１３をもって前面の囲い部材４を手前に引き出せば、前面の囲い部材４と左右側面側の囲い部材３が同時に前方に引き出され、また、同時に支持アーム１２も一本物の水平状態となって、ワンタッチ的に上面が開放されたボックス形状に形成できる。
【０１０５】
なお、本実施例においては車道と歩道との間にゴミ集積ボックス１を設置する場合、歩道側に引き出すことを前提にした上で歩道側をゴミ集積ボックス１の前面としたが、歩道側に引き出す場合であっても、車道側からゴミを投入する場合には、歩道側がゴミ集積ボックス１の背面となるため、前面の囲い部材４にポール５を設けるようにする。
【図面の簡単な説明】
【０１０６】
【図１】本発明のゴミ集積ボックスの実施形態を示す引き出した状態の全体斜視図である。
【図２】本発明のゴミ集積ボックスの実施形態を示す要部である基礎支柱付近の斜視図である。
【図３】支持板の平面図である。
【図４】支持金具の斜視図である。
【図５】取付金物の斜視図である。
【図６】ポールの固定方法の他の実施形態を示す斜視図である。
【図７】ブロック上への支持板の設置状態を示す縦断側面図である。
【図８】本発明のゴミ集積ボックスの実施形態を示す要部である押さえ部材付近の斜視図である。
【図９】押さえ部材の中央部を上げた状態を示す斜視図である。
【図１０】従来のゴミ集積ボックスの一例を示す全体斜視図である。
【図１１】従来のポールの固定手段の第１例を示す縦断正面図である。
【図１２】従来のポールの固定手段の構成部材である連結金物の縦断正面図である。
【図１３】従来のポールのブロック塀への固定手段の第１例を示す斜視図である。
【図１４】従来のポールのブロック塀への固定手段の第２例を示す斜視図である。
【符号の説明】
【０１０７】
１  ゴミ集積ボックス            ２  背面の囲い部材
２ａ  枠体                      ２ｂ  網状体
３  側面の囲い部材
３ａ、３ｂ  分割部材            ４  前面の囲い部材
４ａ  枠体                      ５  ポール
５ａ  本体                      ５ｂ  脚柱
６  支柱                        ７  保持棚
７ａ  保持孔                    ８  広告板
９  支持部材                    ９ａ  孔
１０  連結杆                    １１  蝶番
１２、１２ａ、１２ｂ  支持アーム
１３  把手                      １４  孔
１５  押さえ部材                １５ａ  中央部
１７  防護ネット                １８  フック
１９  テグス                    ２０  フック
２１  裾                        ２２  取付金物
２２ａ  ヒンジ部                ２２ｂ  フランジ部
２２ｃ  ネジ孔                  ２３  取付金物
２４  ゴミ                      ２７  連結金物
２７ａ  ネジ部                  ２７ｂ  フランジ
２８  ボルト                    ２８ａ  ナット
２８ｂ  頭部                    ２９  板状部材
３０  側溝                      ３１  ブロック塀
３２  取付金物                  ３３  固定金具
３４  当接部材                  ３６  アンカーボルト
３７  基礎支柱                  ３７ａ  嵌め込み孔
３８  支持板                    ３９  貫通孔
４０  ネジ孔                    ４１  支持金具
４１ａ  中央部                  ４１ｂ  上部
４１ｃ  下部                    ４２  溶接面
４２ｂ  貫通孔                  ４２ｃ  貫通孔
４３  ブロック
４４  地面                      ４６  アンカーボルト
４６ａ  頭部                    ４７  アジャスターボルト
Ａ  囲い部材
【図１】
2006143386.tif 000003
【図２】
2006143386.tif 000004
【図３】
2006143386.tif 000005
【図４】
2006143386.tif 000006
【図５】
2006143386.tif 000007
【図６】
2006143386.tif 000008
【図７】
2006143386.tif 000009
【図８】
2006143386.tif 000010
【図９】
2006143386.tif 000011
【図１０】
2006143386.tif 000012
【図１１】
2006143386.tif 000013
【図１２】
2006143386.tif 000014
【図１３】
2006143386.tif 000015
【図１４】
2006143386.tif 000016